(57)【要約】【課題】  ブラシの全長を車体の洗浄に有効に寄与させながら、細巾の先端ブラシ片により車体への当たりを柔らかくするとともに、車体の細かな凹凸部の汚れを拭い易くすること。【解決手段】  可撓帯板３０に多数条のスリット３０Ａ〜３０Ｃを入れて該可撓帯板３０に多数のブラシ片３１〜３３を形成してなる洗車機用回転ブラシ２０において、長尺スリット３０Ａと中間スリット３０Ｂと先端スリット３０Ｃの各スリットの長さＬ1、Ｌ2、Ｌ3が等差数列又は等比数列をなすように設定したもの。【選択図】  図４
2006137394.tif 000002
【特許請求の範囲】
【請求項１】
回転軸の周囲の複数位置のそれぞれに可撓帯板の取付端を取付け、可撓帯板に多数条のスリットを入れて該可撓帯板に多数のブラシ片を形成してなる洗車機用回転ブラシにおいて、
可撓帯板の取付端の側から半径方向の先端縁に達する長尺スリットを可撓帯板の巾方向の複数位置に設け、複数の広巾の基端ブラシ片を形成し、
各基端ブラシ片内にその長手方向の中間部から先端縁に達する中間スリットを設け、複数の中間巾の中間ブラシ片を形成し、
各中間ブラシ片内にその長手方向の中間部から先端縁に達する先端スリットを設け、複数の細巾の先端ブラシ片を形成し、
長尺スリットと中間スリットと先端スリットの各スリットの長さが等差数列又は等比数列をなすように設定し、
回転軸の半径方向の内方から外方に向けて広巾〜細巾の多段をなすブラシ片を、回転軸の軸方向と周方向でくり返し配置してなることを特徴とする洗車機用回転ブラシ。
【請求項２】
前記基端ブラシ片内に複数の長さの異なる中間スリットを並置し、複数段をなす中間ブラシ片を形成する請求項１に記載の洗車機用回転ブラシ。
【請求項３】
前記基端ブラシ片内の巾方向の中央に１本の中間スリットを設けて２個の中間ブラシ片を形成し、該中間ブラシ片内の巾方向の中央に１本の先端スリットを設けて２個の先端ブラシ片を形成する請求項１に記載の洗車機用回転ブラシ。
【発明の詳細な説明】
【技術分野】
【０００１】
本発明は洗車機用回転ブラシに関する。
【背景技術】
【０００２】
洗車機用回転ブラシとして、特許文献１に記載の如く、回転軸の周囲の複数位置のそれぞれに可撓帯板の取付端を取付け、可撓帯板に多数条のスリットを入れて該可撓帯板に多数のブラシ片を形成してなるものがある。
【０００３】
特許文献１のブラシでは、可撓帯板の取付端の側から半径方向の先端縁に達する長尺スリットを可撓帯板の巾方向の複数位置に設け、複数の広巾の基端ブラシ片を形成し、各基端ブラシ片内にその長手方向の中間部から先端縁に達する中間スリットを設け、複数の中間巾の中間ブラシ片を形成し、各中間ブラシ片内にその長手方向の中間部から先端縁に達する先端スリットを設け、複数の細巾の先端ブラシ片を形成している。細巾の先端ブラシ片により車体への当たりを柔らかくするとともに、車体の細かな凹凸部の汚れを拭い易くしようとするものである。
【特許文献１】実用新案登録第3089760号
【発明の開示】
【発明が解決しようとする課題】
【０００４】
しかしながら、特許文献１のブラシでは、長尺スリットと中間スリットの長さの差が極めて小さいのに対し、中間スリットと先端スリットの長さの差を極めて大きく設定している。このため、回転軸の半径方向の内方から外方に向けて広巾〜細巾の多段をなすブラシ片の曲げ強度の変化を簡易に滑らかにすることができず、回転軸の回転力を基端ブラシ片〜先端ブラシ片に効果的に伝えることができないため、ブラシの全長を車体の洗浄に有効に寄与させることが十分でない。
【０００５】
本発明の課題は、ブラシの全長を車体の洗浄に有効に寄与させながら、細巾の先端ブラシ片により車体への当たりを柔らかくするとともに、車体の細かな凹凸部の汚れを拭い易くすることにある。
【課題を解決するための手段】
【０００６】
請求項１の発明は、回転軸の周囲の複数位置のそれぞれに可撓帯板の取付端を取付け、可撓帯板に多数条のスリットを入れて該可撓帯板に多数のブラシ片を形成してなる洗車機用回転ブラシにおいて、可撓帯板の取付端の側から半径方向の先端縁に達する長尺スリットを可撓帯板の巾方向の複数位置に設け、複数の広巾の基端ブラシ片を形成し、各基端ブラシ片内にその長手方向の中間部から先端縁に達する中間スリットを設け、複数の中間巾の中間ブラシ片を形成し、各中間ブラシ片内にその長手方向の中間部から先端縁に達する先端スリットを設け、複数の細巾の先端ブラシ片を形成し、長尺スリットと中間スリットと先端スリットの各スリットの長さが等差数列又は等比数列をなすように設定し、回転軸の半径方向の内方から外方に向けて広巾〜細巾の多段をなすブラシ片を、回転軸の軸方向と周方向でくり返し配置してなるようにしたものである。
【０００７】
請求項２の発明は、請求項１の発明において更に、前記基端ブラシ片内に複数の長さの異なる中間スリットを並置し、複数段をなす中間ブラシ片を形成するようにしたものである。
【０００８】
請求項３の発明は、請求項１の発明において更に、前記基端ブラシ片内の巾方向の中央に１本の中間スリットを設けて２個の中間ブラシ片を形成し、該中間ブラシ片内の巾方向の中央に１本の先端スリットを設けて２個の先端ブラシ片を形成するようにしたものである。
【発明の効果】
【０００９】
（請求項１）
(a)ブラシにおいて、広巾〜細巾の多段をなすブラシ片を形成する、長尺スリットと中間スリットと先端スリットの各スリットの長さを等差数列又は等比数列をなすように設定した。このため、回転軸の半径方向の内方から外方に向けて広巾〜細巾の多段をなすブラシ片の曲げ強度の変化を簡易に滑らかにすることができ、回転軸の回転力を基端ブラシ片〜先端ブラシ片に効果的に伝えることができるため、ブラシの全長を車体の洗浄に有効に寄与させることができる。
【００１０】
(b)ブラシが細巾の先端ブラシ片を備えることにより、車体への当たりを柔らかくするとともに、車体の細かな凹凸部の汚れを拭い易くすることができる。
【００１１】
（請求項２）
(c)基端ブラシ片内に複数段をなす中間ブラシ片を形成することにより、広巾〜細巾の４段以上をなすブラシ片を備えるものにし、それらブラシ片の曲げ強度の変化を簡易により滑らかにすることができる。
【００１２】
（請求項３）
(d)基端ブラシ片内に２個の同一中間巾の中間ブラシ片を形成し、中間ブラシ片内に２個の同一細巾の先端ブラシ片を形成することにより、前述(a)の各ブラシ片の曲げ強度の変化を一層簡易に滑らかにすることができる。
【発明を実施するための最良の形態】
【００１３】
図１は洗車機を示す模式図、図２はブラシを示す正面図、図３はブラシの取付構造を示す端面図、図４はブラシの要部を拡大して示す正面図である。
【実施例】
【００１４】
洗車機１０は、図１に示す如く、不図示の門型走行フレームにトップブラシ１１、サイドブラシ１２等の回転ブラシ２０、洗車液噴射装置（不図示）、乾燥装置（不図示）等を搭載し、車体１を自動的に洗浄する。
【００１５】
ブラシ２０は、図２に示す如く、アルミ合金等からなる回転軸２１の周囲の複数位置に設けた取付溝２２のそれぞれに可撓帯板３０の取付端を取付けて構成される。
【００１６】
可撓帯板３０は、図３に示す如く、１枚又は２枚以上重ね状にしたものを２つ折り状にされ、回転軸２１への取付端たる２つ折り部の全長において芯材２３を挟み込むとともに、２つ折り部の周囲に挟み具２４が被着される。可撓帯板３０は、芯材２３及び挟み具２４とともに、回転軸２１の軸方向の端面に開放している取付溝２２の一端から該取付溝２２に嵌合せしめられ、取付溝２２の内部でその開口部２２Ａよりも大径を維持して回転軸２１に取付けられる。尚、芯材２３の長手方向に沿う可撓帯板３０の巾は、回転軸２１の取付溝２２の全長を複数分割した長さとし、１個の取付溝２２に複数個の可撓帯板３０を嵌合し、それらの可撓帯板３０を回転軸２１の軸方向でつなげるものにしている。
【００１７】
ブラシ２０は、図４に示す如く、可撓帯板３０に多数条のスリット３０Ａ〜３０Ｃを入れて該可撓帯板３０に多数のブラシ片３１〜３３を形成する。尚、可撓帯板３０は、一様板厚の矩形板状をなし、エチレンビニルアセテート（ＥＶＡ）等のスポンジ状プラスチック、ポリプロピレンやポリエチレン等のプラスチック、又は布等からなる。
【００１８】
ブラシ２０は、可撓帯板３０の取付端の側から半径方向の先端縁に達する長尺スリット３０Ａを可撓帯板３０の巾方向の複数位置に設け、複数の広巾の基端ブラシ片３１を形成する。長尺スリット３０Ａ及び基端ブラシ片３１の長さはＬ1である。長尺スリット３０Ａの基端部には引裂防止用小孔３４が設けられる。
【００１９】
ブラシ２０は、各基端ブラシ片３１内にその長手方向の中間部から先端縁に達する中間スリット３０Ｂを設け、複数の中間巾の中間ブラシ片３２を形成する。中間スリット３０Ｂ及び中間ブラシ片３２の長さはＬ2である。中間スリット３０Ｂの基端部には引裂防止用小孔３５が設けられる。
【００２０】
ブラシ２０は、各中間ブラシ片２０内にその長手方向の中間部から先端縁に達する先端スリット３０Ｃを設け、複数の細巾の先端ブラシ片３３を形成する。先端スリット３０Ｃ及び先端ブラシ片３３の長さはＬ3である。
【００２１】
ブラシ２０は、長尺スリット３１と中間スリット３２と先端スリット３３の各スリットの長さＬ1、Ｌ2、Ｌ3が例えば公差ｄの等差数列をなすように設定する。又は、ブラシ２０は、長尺スリット３１と中間スリット３２と先端スリット３３の各スリットの長さＬ1、Ｌ2、Ｌ3が例えば公比ｒの等比数列をなすように設定することもできる。
【００２２】
これにより、ブラシ２０は、回転軸２１の半径方向の内方から外方に向けて広巾〜細巾の多段をなすブラシ片３１〜３３を、回転軸２１の軸方向と周方向でくり返し配置するものになる。
【００２３】
本実施例のブラシ２０では、基端ブラシ片３１内の巾方向の中央に１本の中間スリット３０Ｂを設けて２個の中間ブラシ片３２を形成し、該中間ブラシ片３２内の巾方向の中央に１本の先端スリット３０Ｃを設けて２個の先端ブラシ片３３を形成した。
【００２４】
本実施例によれば以下の作用効果を奏する。
(a)ブラシ２０において、広巾〜細巾の多段をなすブラシ片３１〜３３を形成する、長尺スリット３０Ａと中間スリット３０Ｂと先端スリット３０Ｃの各スリットの長さを等差数列又は等比数列をなすように設定した。このため、回転軸２１の半径方向の内方から外方に向けて広巾〜細巾の多段をなすブラシ片３１〜３３の曲げ強度の変化を簡易に滑らかにすることができ、回転軸２１の回転力を基端ブラシ片３１先端ブラシ片３３に効果的に伝えることができるため、ブラシ２０の全長を車体の洗浄に有効に寄与させることができる。
【００２５】
(b)ブラシ２０が細巾の先端ブラシ片３３を備えることにより、車体への当たりを柔らかくするとともに、車体の細かな凹凸部の汚れを拭い易くすることができる。
【００２６】
(c)基端ブラシ片３１内に２個の同一中間巾の中間ブラシ片３２を形成し、中間ブラシ片３２内に２個の同一細巾の先端ブラシ片３３を形成することにより、前述(a)の各ブラシ片３１〜３３の曲げ強度の変化を一層簡易に滑らかにすることができる。
【００２７】
以上、本発明の実施例を図面により詳述したが、本発明の具体的な構成はこの実施例に限られるものではなく、本発明の要旨を逸脱しない範囲の設計の変更等があっても本発明に含まれる。例えば、基端ブラシ片内に複数の長さの異なる中間スリットを並置し、複数段をなす中間ブラシ片を形成することもできる。これによれば、基端ブラシ片内に複数段をなす中間ブラシ片を形成することにより、広巾〜細巾の４段以上をなすブラシ片を備えるものにし、それらブラシ片の曲げ強度の変化を簡易により滑らかにすることができる。
【図面の簡単な説明】
【００２８】
【図１】図１は洗車機を示す模式図である。
【図２】図２はブラシを示す正面図である。
【図３】図３はブラシの取付構造を示す端面図である。
【図４】図４はブラシの要部を拡大して示す正面図である。
【符号の説明】
【００２９】
２０  回転ブラシ
２１  回転軸
３０  可撓帯板
３０Ａ  長尺スリット
３０Ｂ  中間スリット
３０Ｃ  先端スリット
３１  基端ブラシ片
３２  中間ブラシ片
３３  先端ブラシ片
Ｌ1、Ｌ2、Ｌ3  長さ
【図１】
2006137394.tif 000003
【図２】
2006137394.tif 000004
【図３】
2006137394.tif 000005
【図４】
2006137394.tif 000006